(57)【要約】【課題】交流電力を供給するための供給路と直流電力を供給するための供給路とを１本の電力供給線路で共有化する。【解決手段】ＡＣ分電盤３は、商用電源ＡＣに接続され、商用電源ＡＣからの交流電力を受電する。直流電源４は、直流電力を生成する。切替装置６は、電気機器１ａ，１ｂが電気的に接続される電力供給線路Ｌ上の電力を、ＡＣ分電盤３からの交流電力にするか、直流電源４からの直流電力にするかを切り替える。交流給電用ブロック８は、電力供給線路Ｌ上の電力が交流電力である場合、電力供給線路Ｌと電気機器１ａの間を導通し、電力供給線路Ｌ上の電力が直流電力である場合、電力供給線路Ｌと電気機器１ｂの間を遮断する。直流給電用ブロック９は、電力供給線路Ｌ上の電力が直流電力である場合、電力供給線路Ｌと電気機器１ｂの間を導通し、電力供給線路Ｌ上の電力が交流電力である場合、電力供給線路Ｌと電気機器１ｂの間を遮断する。【選択図】図１
2010041785.tif 000002
【特許請求の範囲】
【請求項１】
電気機器が電気的に接続される電力供給線路と、
商用電源に接続される電源接続手段と、
直流電力を生成する発電機器を含む直流電源と、
前記電力供給線路上の電力を前記商用電源からの交流電力と前記直流電源からの直流電力との間で切り替える切替装置とを備え、
前記切替装置は、特定の事象の発生に応じて、前記電力供給線路上の電力の切り替えを行う
ことを特徴とする配電システム。
【請求項２】
前記直流電源での直流電力の発電量を検出する直流電力検出手段を備え、
前記切替装置は、前記直流電力検出手段の検出値が予め設定された直流電力基準値以上である場合、前記電力供給線路上の電力を前記直流電源からの直流電力に切り替える
ことを特徴とする請求項１記載の配電システム。
【請求項３】
前記商用電源の停電を検出する停電検出手段を備え、
前記切替装置は、前記停電検出手段で前記商用電源の停電が検出された場合、前記電力供給線路上の電力を前記直流電源からの直流電力に切り替える
ことを特徴とする請求項１記載の配電システム。
【請求項４】
前記商用電源からの交流電力の大きさを検出する交流電力検出手段を備え、
前記切替装置は、前記交流電力検出手段の検出値が予め設定された閾値以上である場合、前記電力供給線路上の電力を前記直流電源からの直流電力に切り替える
ことを特徴とする請求項１記載の配電システム。
【請求項５】
外光の照度を検出する照度センサを備え、
前記切替装置は、前記照度センサの照度検出値が予め設定された照度基準値以上である場合、前記電力供給線路上の電力を直流電力に切り替える一方、前記照度センサの照度検出値が前記照度基準値未満である場合、前記電力供給線路上の電力を交流電力に切り替える
ことを特徴とする請求項１記載の配電システム。
【請求項６】
扉の施錠及び解錠を行う電気錠を備え、
前記切替装置は、前記電気錠によって扉を施錠した場合、前記電力供給線路上の電力を直流電力に切り替える一方、前記電気錠によって扉を解錠した場合、前記電力供給線路上の電力を交流電力に切り替える
ことを特徴とする請求項１記載の配電システム。
【請求項７】
現在時刻を計時する計時手段と、
前記電力供給線路上の電力を交流電力にする交流供給時間帯と前記電力供給線路上の電力を直流電力にする直流供給時間帯とを記憶する記憶手段とを備え、
前記切替装置は、前記計時手段で計時された現在時刻が前記交流供給時間帯に含まれる場合、前記電力供給線路上の電力を前記商用電源からの交流電力に切り替える一方、前記計時手段で計時された現在時刻が前記直流供給時間帯に含まれる場合、前記電力供給線路上の電力を前記直流電源からの直流電力に切り替える
ことを特徴とする請求項１記載の配電システム。
【請求項８】
前記切替装置は、前記電力供給線路上の電力供給状態を、前記商用電源からの交流電力の供給と、前記直流電源からの直流電力の供給と、電力供給の停止との間で切り替えることを特徴とする請求項１乃至７の何れか１項に記載の配電システム。
【請求項９】
前記電力供給線路上の電力供給を許可する給電許可装置を備え、
前記給電許可装置は、前記切替装置との間で通信を行う第１の通信手段を有するとともに、前記電力供給線路上の電力を交流電力にする要求を行う場合にＡＣ許可信号を前記切替装置に送信するように前記第１の通信手段を制御し、前記電力供給線路上の電力を直流電力にする要求を行う場合にＤＣ許可信号を前記切替装置に送信するように前記第１の通信手段を制御する一方、電力供給を停止する要求を行う場合に停止信号を前記切替装置に送信するように前記第１の通信手段を制御する要求手段とを有し、
前記切替装置は、前記給電許可装置との間で通信を行う第２の通信手段を有するとともに、前記第２の通信手段で前記ＡＣ許可信号が受信されると前記電力供給線路上の電力を交流電力にし、前記第２の通信手段で前記ＤＣ許可信号が受信されると前記電力供給線路上の電力を直流電力にする一方、前記第２の通信手段で前記停止信号が受信されると前記電力供給線路への電力供給を停止する切替制御手段を有する
ことを特徴とする請求項８記載の配電システム。
【請求項１０】
前記電力供給線路からの供給電力が交流電力であるか直流電力であるかの当該供給電力の種類を検出する検出手段と、
前記検出手段で検出された前記供給電力の種類と前記電気機器が要求する要求電力の種類とが異なる場合に当該供給電力の当該電気機器への供給を停止する電力適合手段と
を備えることを特徴とする請求項１乃至９の何れか１項に記載の配電システム。
【請求項１１】
前記電気機器は、交直両用の電気機器であることを特徴とする請求項１乃至９の何れか１項に記載の配電システム。
【発明の詳細な説明】
【技術分野】
【０００１】
本発明は、電気機器に電力供給する配電システムに関するものである。
【背景技術】
【０００２】
電気機器に電力供給する従来の配電システムとして、電気機器に交流電力を供給するための交流供給路と、電気機器に直流電力を供給するための直流供給路とを備えるシステムが知られている（例えば、特許文献１参照）。従来の配電システムでは、交流供給路に接続される電気機器には、商用電源からの交流電力を供給し、直流供給路に接続される電気機器には、直流電源（燃料電池など）からの直流電力や商用電源の交流電力を変換した直流電力を供給する。
【特許文献１】特開２００３−２０４６８２号公報
【発明の開示】
【発明が解決しようとする課題】
【０００３】
しかしながら、従来の配電システムには、交流供給路と直流供給路とが別々の供給線路であるため、線路の数が多くなってしまっていた。このため、配線が煩わしいという問題があった。
【０００４】
本発明は上記の点に鑑みて為されたものであり、その目的は、交流電力を供給するための供給路と直流電力を供給するための供給路とを１本の電力供給線路で共有化することができる配電システムを提供することにある。
【課題を解決するための手段】
【０００５】
請求項１の発明は、電気機器が電気的に接続される電力供給線路と、商用電源に接続される電源接続手段と、直流電力を生成する発電機器を含む直流電源と、前記電力供給線路上の電力を前記商用電源からの交流電力と前記直流電源からの直流電力との間で切り替える切替装置とを備え、前記切替装置は、特定の事象の発生に応じて、前記電力供給線路上の電力の切り替えを行うことを特徴とする。
【０００６】
請求項２の発明は、請求項１の発明において、前記直流電源での直流電力の発電量を検出する直流電力検出手段を備え、前記切替装置は、前記直流電力検出手段の検出値が予め設定された直流電力基準値以上である場合、前記電力供給線路上の電力を前記直流電源からの直流電力に切り替えることを特徴とする。
【０００７】
請求項３の発明は、請求項１の発明において、前記商用電源の停電を検出する停電検出手段を備え、前記切替装置は、前記停電検出手段で前記商用電源の停電が検出された場合、前記電力供給線路上の電力を前記直流電源からの直流電力に切り替えることを特徴とする。
【０００８】
請求項４の発明は、請求項１の発明において、前記商用電源からの交流電力の大きさを検出する交流電力検出手段を備え、前記切替装置は、前記交流電力検出手段の検出値が予め設定された閾値以上である場合、前記電力供給線路上の電力を前記直流電源からの直流電力に切り替えることを特徴とする。
【０００９】
請求項５の発明は、請求項１の発明において、外光の照度を検出する照度センサを備え、前記切替装置は、前記照度センサの照度検出値が予め設定された照度基準値以上である場合、前記電力供給線路上の電力を直流電力に切り替える一方、前記照度センサの照度検出値が前記照度基準値未満である場合、前記電力供給線路上の電力を交流電力に切り替えることを特徴とする。
【００１０】
請求項６の発明は、請求項１の発明において、扉の施錠及び解錠を行う電気錠を備え、前記切替装置は、前記電気錠によって扉を施錠した場合、前記電力供給線路上の電力を直流電力に切り替える一方、前記電気錠によって扉を解錠した場合、前記電力供給線路上の電力を交流電力に切り替えることを特徴とする。
【００１１】
請求項７の発明は、請求項１の発明において、現在時刻を計時する計時手段と、前記電力供給線路上の電力を交流電力にする交流供給時間帯と前記電力供給線路上の電力を直流電力にする直流供給時間帯とを記憶する記憶手段とを備え、前記切替装置は、前記計時手段で計時された現在時刻が前記交流供給時間帯に含まれる場合、前記電力供給線路上の電力を前記商用電源からの交流電力に切り替える一方、前記計時手段で計時された現在時刻が前記直流供給時間帯に含まれる場合、前記電力供給線路上の電力を前記直流電源からの直流電力に切り替えることを特徴とする。
【００１２】
請求項８の発明は、請求項１乃至７の何れか１項の発明において、前記切替装置は、前記電力供給線路上の電力供給状態を、前記商用電源からの交流電力の供給と、前記直流電源からの直流電力の供給と、電力供給の停止との間で切り替えることを特徴とする。
【００１３】
請求項９の発明は、請求項８の発明において、前記電力供給線路上の電力供給を許可する給電許可装置を備え、前記給電許可装置は、前記切替装置との間で通信を行う第１の通信手段を有するとともに、前記電力供給線路上の電力を交流電力にする要求を行う場合にＡＣ許可信号を前記切替装置に送信するように前記第１の通信手段を制御し、前記電力供給線路上の電力を直流電力にする要求を行う場合にＤＣ許可信号を前記切替装置に送信するように前記第１の通信手段を制御する一方、電力供給を停止する要求を行う場合に停止信号を前記切替装置に送信するように前記第１の通信手段を制御する要求手段とを有し、前記切替装置は、前記給電許可装置との間で通信を行う第２の通信手段を有するとともに、前記第２の通信手段で前記ＡＣ許可信号が受信されると前記電力供給線路上の電力を交流電力にし、前記第２の通信手段で前記ＤＣ許可信号が受信されると前記電力供給線路上の電力を直流電力にする一方、前記第２の通信手段で前記停止信号が受信されると前記電力供給線路への電力供給を停止する切替制御手段を有することを特徴とする。
【００１４】
請求項１０の発明は、請求項１乃至９の何れか１項の発明において、前記電力供給線路からの供給電力が交流電力であるか直流電力であるかの当該供給電力の種類を検出する検出手段と、前記検出手段で検出された前記供給電力の種類と前記電気機器が要求する要求電力の種類とが異なる場合に当該供給電力の当該電気機器への供給を停止する電力適合手段とを備えることを特徴とする。
【００１５】
請求項１１の発明は、請求項１乃至９の何れか１項の発明において、前記電気機器は、交直両用の電気機器であることを特徴とする。
【発明の効果】
【００１６】
請求項１の発明によれば、特定の事象の発生に応じて、切替装置が電力供給線路上の電力を交流電力と直流電力との間で切り替えることによって、交流電力を供給するための供給路と直流電力を供給するための供給路とを１本の電力供給線路で共有化することができるとともに、特定の事象の発生に合わせた電力供給を行うことができる。
【００１７】
請求項２の発明によれば、直流電源に十分な供給能力があれば、直流電力を受電側端末に供給することができるので、商用電源からの交流電力の使用量を低減することができ、その結果、電気代の低減を図ることができる。
【００１８】
請求項３の発明によれば、商用電源の停電中においても、直流電源からの直流電力を受電側端末に供給することができるので、商用電源の停電の影響を小さくすることができる。
【００１９】
請求項４の発明によれば、交流電力の大きさが閾値以上になると、切替装置が電力供給線路上の電力を直流電源からの直流電力に切り替えることによって、商用電源からの交流電力のピークを抑えることができるので、電気代の低減を図ることができる。
【００２０】
請求項５の発明によれば、交流電力で動作する照明機器を電気機器として電力供給線路に電気的に接続されている場合、外光の照度が高いと、上記照明機器を点灯させる必要がないので、電力供給線路上の電力を直流電力に切り替えることによって、直流電力で動作する電気機器を有効に用いることができる。一方、外光の照度が低いと、電力供給線路上の電力を交流電力に切り替えることによって、上記照明機器を点灯させることができる。また、直流電源として太陽電池が設けられている場合、外光の照度が高いと、太陽電池の供給能力が高まるので、直流電力を有効利用することができる。
【００２１】
請求項６の発明によれば、直流電力で動作するセキュリティ機器を電気機器として電力供給線路に電気的に接続されている場合、家人が外出して扉が施錠したときにセキュリティ機器を動作させることができ、家人が帰宅して扉が解錠したときにセキュリティ機器の動作を停止させることができる。
【００２２】
請求項７の発明によれば、電力供給線路上の電力の切替に対して時間管理することができる。例えば、交流供給時間帯を電気代の安い深夜にし、直流供給時間帯を電気代の高い昼間にすれば、電気代の低減を図ることができる。
【００２３】
請求項８の発明によれば、電力供給線路上の電力供給を停止することができるので、電気機器を動作させないときに発生する無駄な待機電力を低減することができる。
【００２４】
請求項９の発明によれば、給電許可装置での要求を通信によって切替装置に送信することによって、切替装置を制御することができる。
【００２５】
請求項１０の発明によれば、電力適合手段によって電力供給線路からの供給電力の種類と電気機器の要求電力とが異なる場合に供給電力の電気機器への供給を停止することによって、電力供給線路上に何れの電力（交流電力、直流電力）が供給されていても、各電気機器には要求電力と同じ種類の供給電力のみを供給することができる。
【００２６】
請求項１１の発明によれば、電気機器に交流電力が供給されても直流電力が供給されても上記電気機器は動作することができるので、供給電力の種類を変換するために必要な検出手段や電力適合手段が不要となる。
【発明を実施するための最良の形態】
【００２７】
（実施形態１）
実施形態１に係る配電システムの構成について説明する。この配電システムは、図１に示すように、家屋Ｈに設置されて複数の電気機器１ａ，１ｂに電力供給するシステムであり、電気機器１ａ，１ｂが電気的に接続される電力供給線路Ｌと、電力供給線路Ｌに接続されて設けられる複数のコンセント（アウトレット）２，２と、商用電源ＡＣに接続されるＡＣ分電盤３と、直流電力を生成する発電機器を含む直流電源４と、直流電源４を管理する管理装置５と、電力供給線路Ｌ上の電力を交流電力と直流電力の間で切り替える切替装置６と、それぞれコンセント２と電気機器１ａ，１ｂの間に挿入されるアダプタ７ａ，７ｂとを備えている。本実施形態では、電気機器１ａとアダプタ７ａの組み合わせ及び電気機器１ｂとアダプタ７ｂの組み合わせが、それぞれ本発明の電気機器に相当する。また、本実施形態では、アウトレットとしてコンセント２を示しているが、照明器具を取り付けるための引掛シーリングもアウトレットに含まれる。
【００２８】
電気機器１ａは、交流電力が供給されて動作する主動作部１０ａと、外部（アダプタ７ａやコンセント２など）に接続するためのプラグ１１ａとを備える交流用の電気機器である。一方、電気機器１ｂは、直流電力が供給されて動作する主動作部１０ｂと、外部（アダプタ７ｂやコンセント２など）に接続するためのプラグ１１ｂとを備える直流用の電気機器である。電気機器１ｂとしては、信頼性や緊急性、防犯性が求められる機器などのセキュリティ機器がある。電力供給線路Ｌには、電気機器１ａと電気機器１ｂとが混在して接続されている。
【００２９】
各コンセント２には、プラグが挿入されるプラグ挿入孔２０が複数設けられ、各プラグ挿入孔２０にアダプタ７ａ，７ｂのプラグ７０ａ，７０ｂが挿入されることによって、各コンセント２には、アダプタ７ａ，７ｂを介して電気機器１ａ，１ｂが接続される。
【００３０】
ＡＣ分電盤３は、主幹ブレーカ３０と、ブレーカ３１と、商用電源ＡＣからの交流電力の大きさを検出する交流電力検出部（交流電力検出手段）３２とを備えている。ＡＣ分電盤３は、本発明の電源接続手段に相当する。
【００３１】
交流電力検出部３２は、検出値が予め設定された閾値に達した場合、ピーク電力信号を切替装置６に送信する。また、交流電力検出部３２は、商用電源ＡＣの停電及び停電復旧を検出する停電検出手段でもある。商用電源ＡＣの停電を検出した交流電力検出部３２は、停電信号を切替装置６に送信する。その後、停電復旧を検出した交流電力検出部３２は、停電復旧信号を切替装置６に送信する。
【００３２】
ここで、商用電源ＡＣで生成された交流電力のＡＣ分電盤３からの給電路である交流給電用主線路Ｌａｃは、通信路としても兼用されている。交流電力検出部３２は、高周波の搬送波を用いてデータを伝送する通信信号（ピーク電力信号、停電信号、停電復旧信号）を交流電圧に重畳することによって、交流給電用主線路Ｌａｃに接続された切替装置６との間での通信を可能にしている。
【００３３】
直流電源４は、直流電力を生成する太陽電池４０及び燃料電池４１と、直流電力が充電されている二次電池４２とを備えている。
【００３４】
管理装置５は、直流電源４での直流電力の発電量を検出する。管理装置５は、検出値が予め設定された基準値以上である場合、供給可能信号を切替装置６に送信する。管理装置５は、本発明の直流電力検出手段に相当する。
【００３５】
ここで、直流電源４で生成された直流電力の上記直流電源４からの給電路である直流給電用主線路Ｌｄｃは、通信路としても兼用されている。管理装置５は、高周波の搬送波を用いてデータを伝送する通信信号（供給可能信号）を直流電圧に重畳することによって、直流給電用主線路Ｌｄｃに接続された切替装置６との間での通信を可能にしている。この技術は、交流電力を供給する電力線において交流電圧に通信信号を重畳させる電力線搬送技術と類似した技術である。
【００３６】
切替装置６は、図２に示すように、交流電力検出部３２との間で通信を行う第１の通信部６０と、管理装置５との間で通信を行う第２の通信部６１と、切替部６２と、切替部６２を制御する制御部６３とを備えている。切替装置６は、管理装置５とともにＤＣ分電盤Ｂに収納されている（図１参照）。
【００３７】
第１の通信部６０は、交流電力検出部３２の検出値が閾値に達した場合に送信されるピーク電力信号を交流電力検出部３２から受信する。また、第１の通信部６０は、交流電力検出部３２で商用電源ＡＣの停電が検出された場合に送信される停電信号を交流電力検出部３２から受信する。さらに、第１の通信部６０は、交流電力検出部３２で商用電源ＡＣの停電復旧が検出された場合に送信される停電復旧信号を交流電力検出部３２から受信する。
【００３８】
第２の通信部６１は、管理装置５の検出値が基準値以上である場合に送信される供給可能信号を管理装置５から受信する。
【００３９】
制御部６３は、電力供給線路Ｌの接続元を、交流給電用主線路Ｌａｃと直流給電用主線路Ｌｄｃとの間で切り替えるように切替部６２を制御する。
【００４０】
特に、制御部６３は、電力供給線路Ｌの接続元が交流給電用主線路Ｌａｃであるときに、第１の通信部６０でピーク電力信号が受信された場合、電力供給線路Ｌの接続元を交流給電用主線路Ｌａｃから直流給電用主線路Ｌｄｃに切り替えるように切替部６２を制御することによって、電力供給線路Ｌ上の電力を直流電源４からの直流電力に切り替える。
【００４１】
また、制御部６３は、第１の通信部６０で停電信号が受信された場合、電力供給線路Ｌの接続元を直流給電用主線路Ｌｄｃにするように切替部６２を制御することによって、電力供給線路Ｌ上の電力を直流電源４からの直流電力にする。その後、制御部６３は、第１の通信部６０で停電復旧信号が受信された場合、電力供給線路Ｌの接続元を直流給電用主線路Ｌｄｃから交流給電用主線路Ｌａｃに切り替えるように切替部６２を制御することによって、電力供給線路Ｌ上の電力を直流電力から交流電力に切り替える。
【００４２】
一方、制御部６３は、電力供給線路Ｌの接続元が交流給電用主線路Ｌａｃであるときに、第２の通信部６１で供給可能信号が受信された場合、電力供給線路Ｌの接続元を交流給電用主線路Ｌａｃから直流給電用主線路Ｌｄｃに切り替えるように切替部６２を制御することによって、電力供給線路Ｌ上の電力を直流電源４からの直流電力に切り替える。
【００４３】
アダプタ７ａは、図３に示すように、コンセント２に接続するためのプラグ７０ａと、電気機器１ａが接続されるプラグ挿入孔７１ａとを備え、後述する交流給電用ブロック８を内蔵している。アダプタ７ｂは、コンセント２に接続するためのプラグ７０ｂと、電気機器１ｂが接続されるプラグ挿入孔７１ｂとを備え、後述する直流給電用ブロック９が内蔵されている。つまり、交流給電用ブロック８及び直流給電用ブロック９は、各電気機器１ａ，１ｂごとに、電力供給線路Ｌと電気機器１ａ，１ｂの間に上記電気機器１ａ，１ｂに対応付けられて設けられている。
【００４４】
交流給電用ブロック８は、電力供給線路Ｌからの供給電力の種類を検出する検出部（検出手段）８０と、切替部８１と、切替部８１を制御する制御部８２とを備えている。
【００４５】
検出部８０は、供給電力の種類の検出として、上記供給電力が交流電力であるか直流電力であるかの検出を行う。
【００４６】
制御部８２は、検出部８０で電力供給線路Ｌ上の電力が交流電力であると検出された場合、電力供給線路Ｌと電気機器１ａの間を導通するように切替部８１を制御する。つまり、交流電力である供給電力は、電気機器１ａに供給される。
【００４７】
一方、検出部８０で電力供給線路Ｌ上の電力が直流電力であると検出された場合、制御部８２は、電力供給線路Ｌと電気機器１ａの間を遮断するように切替部８１を制御する。つまり、制御部８２は、検出部８０で検出された供給電力の種類が主動作部１０ａからの要求電力の種類と異なる場合に上記供給電力の上記主動作部１０ａへの供給を停止する。
【００４８】
直流給電用ブロック９は、電力供給線路Ｌからの供給電力の種類を検出する検出部（検出手段）９０と、切替部９１と、切替部９１を制御する制御部９２とを備えている。
【００４９】
検出部９０は、供給電力の種類の検出として、上記供給電力が交流電力であるか直流電力であるかの検出を行う。
【００５０】
制御部９２は、検出部９０で電力供給線路Ｌ上の電力が直流電力であると検出された場合、電力供給線路Ｌと電気機器１ｂの間を導通するように切替部９１を制御する。つまり、直流電力である供給電力は、電気機器１ｂに供給される。
【００５１】
一方、検出部９０で電力供給線路Ｌ上の電力が交流電力であると検出された場合、制御部９２は、電力供給線路Ｌと電気機器１ｂの間を遮断するように切替部９１を制御する。つまり、制御部９２は、検出部９０で検出された供給電力の種類が主動作部１０ｂからの要求電力の種類と異なる場合に上記供給電力の上記主動作部１０ｂへの供給を停止する。
【００５２】
なお、本実施形態の配電システムは、交流用の電気機器１ａと直流用の電気機器１ｂとを同時に使用することができないため、電気機器１ａと電気機器１ｂとを状況に応じて使い分ける必要がある。例えば、通常は電力供給線路Ｌ上の電力を交流電力として電気機器１ａが動作するようにし、停電時は電力供給線路Ｌ上の電力を直流電力として電気機器１ｂが動作するようにするのがよい。
【００５３】
また、外出時は、直流用の電気機器１ｂ（セキュリティ機器）が動作するように、電力供給線路Ｌ上の電力を直流電力とし、帰宅時は、電力供給線路Ｌ上の電力を交流電力としてもよい。
【００５４】
以上、本実施形態によれば、特定の事象の発生に応じて、切替装置６が電力供給線路Ｌ上の電力を交流電力と直流電力との間で切り替えることによって、交流電力を供給するための供給路と直流電力を供給するための供給路とを１本の電力供給線路Ｌで共有化することができるとともに、特定の事象の発生に合わせた電力供給を行うことができる。
【００５５】
また、本実施形態によれば、直流電源４に十分な供給能力があれば、直流電力を電気機器１ｂに供給することができるので、商用電源ＡＣからの交流電力の使用量を低減することができ、その結果、電気代の低減を図ることができる。
【００５６】
さらに、本実施形態によれば、商用電源ＡＣの停電中においても、直流電源４からの直流電力を電気機器１ｂに供給することができるので、商用電源ＡＣの停電の影響を小さくすることができる。そして、商用電源ＡＣの停電復旧した後、商用電源ＡＣからの交流電力を電気機器１ｂに供給することができる。
【００５７】
また、本実施形態によれば、交流電力の大きさが閾値以上になると、切替装置６が電力供給線路Ｌ上の電力を直流電源４からの直流電力に切り替えることによって、商用電源ＡＣからの交流電力のピークを抑えることができるので、電気代の低減を図ることができる。
【００５８】
さらに、本実施形態によれば、制御部８２，９２によって電力供給線路Ｌからの供給電力の種類と電気機器１ａ，１ｂの要求電力とが異なる場合に供給電力の電気機器１ａ，１ｂへの供給を停止することによって、電力供給線路Ｌ上に何れの電力（交流電力、直流電力）が供給されていても、各電気機器１ａ，１ｂには要求電力と同じ種類の供給電力のみを供給することができる。
【００５９】
また、本実施形態によれば、コンセント２と電気機器１ａ，１ｂの間にアダプタ７ａ，７ｂが設けられ、交流給電用ブロック８及び直流給電用ブロック９が主動作部１０ａ，１０ｂと別体に設けられることによって、主動作部１０ａ，１０ｂを含む機器（本実施形態では電気機器１ａ，１ｂ）に特別な電力変換機能を付与しなくてもよいので、従来の電気機器を利用することができる。
【００６０】
（実施形態２）
実施形態１に係る配電システムは、図示しないが、現在時刻を計時するタイマ（計時手段）と、電力供給線路Ｌ上の電力を交流電力にする交流供給時間帯と電力供給線路Ｌ上の電力を直流電力にする直流供給時間帯とを記憶する記憶部（記憶手段）とを備える点で、実施形態１に係る配電システムと相違する。
【００６１】
本実施形態において、切替装置６の制御部６３は、タイマで計時された現在時刻が交流供給時間帯に含まれる場合、電力供給線路Ｌの接続元を交流給電用主線路Ｌａｃにするように切替部６２を制御することによって、電力供給線路Ｌ上の電力を商用電源ＡＣからの交流電力に切り替える。一方、タイマで計時された現在時刻が直流供給時間帯に含まれる場合、制御部６３は、電力供給線路Ｌの接続元を直流給電用主線路Ｌｄｃにするように切替部６２を制御することによって、電力供給線路Ｌ上の電力を直流電源４からの直流電力に切り替える。
【００６２】
以上、本実施形態によれば、電力供給線路Ｌ上の電力の切替に対して時間管理することができる。例えば、交流供給時間帯を電気代の安い深夜にし、直流供給時間帯を電気代の高い昼間にすれば、電気代の低減を図ることができる。
【００６３】
（実施形態３）
実施形態３に係る配電システムは、図４に示すように、電力供給線路Ｌ上の電力供給を許可する給電許可装置２ａを備えている点で、実施形態１に係る配電システム（図１参照）と相違する。なお、実施形態１と同様の構成要素については、同一の符号を付して説明を省略する。
【００６４】
給電許可装置２ａは、切替装置６ａとの間で通信を行う通信部（第１の通信手段）２１を備えているとともに、電力供給線路Ｌ上の電力を交流電力にする要求を行う場合にＡＣ許可信号を切替装置６ａに送信するように通信部２１を制御し、電力供給線路Ｌ上の電力を直流電力にする要求を行う場合にＤＣ許可信号を切替装置６ａに送信するように通信部２１を制御する一方、電力供給を停止する要求を行う場合に停止信号を切替装置６ａに送信するように通信部２１を制御する要求部（要求手段）２２と、通信部２１及び要求部２２の駆動電源となる副電源２３とを備えている。
【００６５】
本実施形態の切替装置６ａは、図５に示すように、給電許可装置２ａとの間で通信を行う第３の通信部（第２の通信手段）６４を備え、電力供給線路Ｌ上の電力供給状態を、商用電源ＡＣからの交流電力の供給と、直流電源４からの直流電力の供給と、電力供給の停止との間で切り替えるものである。なお、切替装置６ａは、上記以外の点において、実施形態１の切替装置６（図２参照）と同様の構成である。
【００６６】
制御部６３は、第３の通信部６４でＡＣ許可信号が受信されると電力供給線路Ｌ上の電力を交流電力にするように切替部６２を制御し、第３の通信部６４でＤＣ許可信号が受信されると電力供給線路Ｌ上の電力を直流電力にするように切替部６２を制御する一方、第３の通信部６４で停止信号が受信されると電力供給線路Ｌへの電力供給を停止する切替制御手段である。
【００６７】
図４に示すように、給電許可装置２ａに、外光の照度を検出する明るさセンサ２４が接続されていると、要求部２２は、明るさセンサ２４の照度検出値が照度基準値以上である場合、ＤＣ許可信号を送信するように切替装置６ａに通信部２１を制御する。一方、明るさセンサ２４の照度検出値が照度基準値未満である場合、交流用の電気機器１ａである照明機器を点灯可能にするために、要求部２２は、ＡＣ許可信号を切替装置６ａに送信するように通信部２１を制御する。
【００６８】
以上、本実施形態によれば、電力供給線路Ｌ上の電力供給を停止することができるので、電気機器１ａ，１ｂを動作させないときに発生する無駄な待機電力を低減することができる。
【００６９】
また、本実施形態によれば、給電許可装置２ａでの要求を通信によって切替装置６に送信することによって、切替装置６を制御することができる。例えば、給電許可装置２ａを用いて、電力供給線路Ｌ上の電力の種類を要求することができるだけではなく、電力供給線路Ｌ上の電力供給の停止も要求することができるので、無駄な待機電力を低減することができる。
【００７０】
さらに、本実施形態によれば、交流電力で動作する照明機器を電気機器１ａとして電力供給線路Ｌに電気的に接続されている場合、外光の照度が高いと、上記照明機器を点灯させる必要がないので、電力供給線路Ｌ上の電力を直流電力に切り替えることによって、直流電力で動作する電気機器１ｂを有効に用いることができる。一方、外光の照度が低いと、電力供給線路Ｌ上の電力を交流電力に切り替えることによって、上記照明機器を点灯させることができる。また、外光の照度が高いと、太陽電池４０の供給能力が高まるので、直流電力を有効利用することができる。
【００７１】
（実施形態４）
実施形態４に係る配電システムは、図示しないが、給電許可装置２ａが、扉の施錠及び解錠を行う電気錠を備える点で、実施形態３に係る配電システムと相違する。
【００７２】
本実施形態において、給電許可装置２ａの要求部２２は、電気錠によって扉が施錠した場合、ＤＣ許可信号を切替装置６ａに送信するように通信部２１を制御する。一方、電気錠によって扉が解錠した場合、ＡＣ許可信号又は停止信号を切替装置６ａに送信するように通信部２１を制御する。
【００７３】
制御部６３は、第３の通信部６４でＤＣ許可信号が受信されると電力供給線路Ｌ上の電力を直流電力にするように切替部６２を制御し、第３の通信部６４でＡＣ許可信号が受信されると電力供給線路Ｌ上の電力を交流電力にするように切替部６２を制御し、第３の通信部６４で停止信号が受信されると電力供給線路Ｌへの電力供給を停止する。
【００７４】
以上、本実施形態によれば、直流電力で動作するセキュリティ機器を電気機器１ｂとして電力供給線路Ｌに電気的に接続されている場合、家人が外出して扉が施錠したときにセキュリティ機器を動作させることができ、家人が帰宅して扉が解錠したときにセキュリティ機器の動作を停止させることができる。
【００７５】
（実施形態５）
実施形態５に係る配電システムは、図６に示すように、交流給電用ブロック８及び直流給電用ブロック９がコンセント２ｂ，２ｃに内蔵されて設けられている点で、実施形態１に係る配電システム（図１参照）と相違する。本実施形態では、電気機器１ａとコンセント２ｂの組み合わせ及び電気機器１ｂとコンセント２ｃの組み合わせが、それぞれ本発明の電気機器に相当する。なお、実施形態１と同様の構成要素については、同一の符号を付して説明を省略する。
【００７６】
以上、本実施形態によれば、交流給電用ブロック８及び直流給電用ブロック９がコンセント２ｂ，２ｃに内蔵されることによって、交流給電用ブロック８及び直流給電用ブロック９を別製品として用意する必要がない。
【００７７】
（実施形態６）
実施形態６に係る配電システムは、図７に示すように、交流給電用ブロック８及び直流給電用ブロック９が電気機器１ｃ，１ｄに内蔵されて設けられている点で、実施形態１に係る配電システム（図１参照）と相違する。本実施形態の交流給電用ブロック８及び直流給電用ブロック９は、主動作部１０ｃ，１０ｄと一体に設けられるものである。なお、実施形態１と同様の構成要素については、同一の符号を付して説明を省略する。
【００７８】
電気機器１ｃの主動作部１０ｃは、交流電力が供給されて動作する。一方、電気機器１ｄの主動作部１０ｄは、直流電力が供給されて動作する。
【００７９】
以上、本実施形態によれば、交流給電用ブロック８及び直流給電用ブロック９が電気機器１ｃ，１ｄに内蔵され、主動作部１０ｃ，１０ｄと一体に設けられることによって、交流給電用ブロック８及び直流給電用ブロック９を別製品として用意する必要がない。
【００８０】
（実施形態７）
実施形態７は、交直両用の電気機器が電力供給線路Ｌに電気的に接続される点で、実施形態１と相違する。上記電気機器は、交流電力が供給されても直流電力が供給されても動作する主動作部を備えている。
【００８１】
以上、本実施形態によれば、電気機器に交流電力が供給されても直流電力が供給されても上記電気機器は動作することができるので、供給電力の種類を変換するための機能が不要である。
【００８２】
（実施形態８）
実施形態１では、商用電源ＡＣからの交流電力の大きさや商用電源ＡＣの停電を検出するために、交流電力検出部３２をＡＣ分電盤３に備えている。この場合、交流電力検出部３２と切替装置６の間で通信を行うため、交流電力検出部３２及び切替装置６に通信機能を持たせる必要がある。また、直流電源４での直流電力の発電量を管理装置５が検出し、管理装置５と切替装置６の間で通信を行うため、管理装置５にも通信機能を持たせる必要がある。
【００８３】
そこで、実施形態８に係る配電システムでは、交流電力検出部３２に代えて、図示しないが、交流電力検出部３２と同等の機能を有する交流電力検出部を切替装置６内に備える構成にする。また、本実施形態では、直流電源４での直流電力の発電量を検出する機能に代えて、切替装置６が、外光（太陽光）の照度を検出する機能を有する。
【００８４】
本実施形態の切替装置６は、交流電力検出部によって交流給電用主線路Ｌａｃ上の交流電力（交流電流、交流電圧）を検出し、商用電源ＡＣから交流電力が供給されなくなったと判断した場合（商用電源ＡＣが停電した場合）、電力供給線路Ｌ上の電力を直流電源４からの直流電力に切り替える。その後、商用電源ＡＣから交流電力が再び供給されたと判断した場合（商用電源ＡＣが停電復旧した場合）、切替装置６は、電力供給線路Ｌ上の電力を商用電源ＡＣからの交流電力に切り替える。
【００８５】
また、切替装置６は、外光の照度が予め設定された基準値以上である場合、太陽電池４０による直流電力の発電量が多いと判断し、電力供給線路Ｌ上の電力を直流電源４からの直流電力に切り替える。
【００８６】
以上、本実施形態によれば、ＡＣ分電盤３と切替装置６の間、管理装置５と切替装置６の間で通信を行うための通信機能を備える必要がないので、システム構成を簡単にすることができる。
【００８７】
なお、実施形態８のように、交流給電用主線路Ｌａｃ上の交流電力を検出する機能、外光の照度を検出する機能を切替装置６に備える構成は、実施形態２〜７に係る配電システムにも適用することができる。
【図面の簡単な説明】
【００８８】
【図１】実施形態１に係る配電システムの構成図である。
【図２】同上に係る切替装置の構成を示すブロック図である。
【図３】同上に係る配電システムの要部の構成図である。
【図４】実施形態３に係る配電システムの要部を示す構成図である。
【図５】同上に係る切替装置の構成を示すブロック図である。
【図６】実施形態５に係る配電システムの要部の構成図である。
【図７】実施形態６に係る配電システムの要部の構成図である。
【符号の説明】
【００８９】
１ａ〜１ｄ  電気機器
２，２ｂ，２ｃ  コンセント
２ａ  給電許可装置
２１  通信部（第１の通信手段）
２２  要求部（要求手段）
３  ＡＣ分電盤（電源接続手段）
３２  交流電力検出部（交流電力検出手段、停電検出手段）
４  直流電源
５  管理装置（直流電力検出手段）
６，６ａ  切替装置
６３制御部（切替制御手段）
６４  第３の通信部（第２の通信手段）
７ａ，７ｂ  アダプタ
８  交流給電用ブロック
８０  検出部（検出手段）
８２  制御部
９  直流給電用ブロック
９０  検出部（検出手段）
９２  制御部
Ｌ  電力供給線路
Ｌａｃ  交流給電用主線路
Ｌｄｃ  直流給電用主線路
ＡＣ  商用電源
【図１】
2010041785.tif 000003
【図２】
2010041785.tif 000004
【図３】
2010041785.tif 000005
【図４】
2010041785.tif 000006
【図５】
2010041785.tif 000007
【図６】
2010041785.tif 000008
【図７】
2010041785.tif 000009